(57)【要約】      （修正有）【課題】ＯＬＴが各ＯＮＵの上り信号の伝送レートに応じた送受信回路の処理遅延時間を調整することにより、ＰＯＮ−Ｉ／ＦおよびＰＯＮ区間でそれぞれの上り信号の衝突を回避する。【解決手段】１対多で接続されるＯＬＴと複数のＯＮＵとの間で、それぞれのＲＴＴを測定し、各ＯＮＵがＯＬＴに送信する上り信号の送信開始時刻としてＯＬＴの設定時刻からそれぞれのＲＴＴを差し引いた時刻を設定する帯域割当装置において、ＯＬＴと複数のＯＮＵとの間の信号伝送は、少なくとも２種類の伝送レートのいずれかで行われる構成であり、各ＯＮＵに設定する上り信号の送信開始時刻として、ＯＬＴの設定時刻からそれぞれのＲＴＴを差し引いた時刻に、さらに各ＯＮＵの上り信号の伝送レートに応じた送受信回路の処理遅延時間を調整して設定する手段を備え、各ＯＮＵとＯＬＴとの間のＰＯＮ区間で上り信号の衝突を回避する構成である。【選択図】図９
2011160194.tif 000002
【特許請求の範囲】
【請求項１】
１対多で接続されるＯＬＴと複数のＯＮＵとの間で、それぞれの往復の伝送遅延時間（以下、ＲＴＴという）を測定し、各ＯＮＵがＯＬＴに送信する上り信号の送信開始時刻としてＯＬＴの設定時刻からそれぞれのＲＴＴを差し引いた時刻を設定する帯域割当装置において、
前記ＯＬＴと前記複数のＯＮＵとの間の信号伝送は、少なくとも２種類の伝送レートのいずれかで行われる構成であり、
前記各ＯＮＵに設定する前記上り信号の送信開始時刻として、前記ＯＬＴの設定時刻からそれぞれのＲＴＴを差し引いた時刻に、さらに前記各ＯＮＵの上り信号の伝送レートに応じた送受信回路の処理遅延時間を調整して設定する手段を備え、前記各ＯＮＵと前記ＯＬＴとの間のＰＯＮ区間で前記上り信号の衝突を回避する構成である
ことを特徴とする帯域割当装置。
【請求項２】
請求項１に記載の帯域割当装置において、
前記ＯＮＵから前記ＯＬＴに送信する上り信号および前記ＯＬＴから前記ＯＮＵに送信する下り信号の伝送レートがともに１Ｇbit/s であるＯＮＵと、下り信号および上り信号の伝送レートがともに10Ｇbit/s であるＯＮＵと、下り信号の伝送レートが10Ｇbit/s で上り信号の伝送レートが１Ｇbit/s であるＯＮＵのうち、少なくとも上り信号の伝送レートの異なる２種類のＯＮＵが混在する場合に、前記ＯＬＴの送受信回路は１Ｇbit/s および10Ｇbit/s の各伝送レートの上り信号をそれぞれ処理する構成である
ことを特徴とする帯域割当装置。
【請求項３】
１対多で接続されるＯＬＴと複数のＯＮＵとの間で、それぞれの往復の伝送遅延時間（以下、ＲＴＴという）を測定し、各ＯＮＵがＯＬＴに送信する上り信号の送信開始時刻としてＯＬＴの設定時刻からそれぞれのＲＴＴを差し引いた時刻を設定する帯域割当方法において、
前記ＯＬＴと前記複数のＯＮＵとの間の信号伝送は、少なくとも２種類の伝送レートのいずれかで行われる構成であり、
前記各ＯＮＵに設定する前記上り信号の送信開始時刻として、前記ＯＬＴの設定時刻からそれぞれのＲＴＴを差し引いた時刻に、さらに前記各ＯＮＵの上り信号の伝送レートに応じた送受信回路の処理遅延時間を調整して設定し、前記各ＯＮＵと前記ＯＬＴとの間のＰＯＮ区間で前記上り信号の衝突を回避する
ことを特徴とする帯域割当方法。
【請求項４】
請求項３に記載の帯域割当方法において、
前記ＯＮＵから前記ＯＬＴに送信する上り信号および前記ＯＬＴから前記ＯＮＵに送信する下り信号の伝送レートがともに１Ｇbit/s であるＯＮＵと、下り信号および上り信号の伝送レートがともに10Ｇbit/s であるＯＮＵと、下り信号の伝送レートが10Ｇbit/s で上り信号の伝送レートが１Ｇbit/s であるＯＮＵのうち、少なくとも上り信号の伝送レートの異なる２種類のＯＮＵが混在する場合に、前記ＯＬＴの送受信回路は１Ｇbit/s および10Ｇbit/s の各伝送レートの上り信号をそれぞれ処理する
ことを特徴とする帯域割当方法。
【発明の詳細な説明】
【技術分野】
【０００１】
本発明は、ＰＯＮ（Passive Optical Network ）システムのＯＬＴ（Optical Line Terminal ：光加入者線終端装置）において、複数のＯＮＵ（Optical Network Unit：光加入者線ネットワーク装置）の上り信号の各帯域（送信開始時刻と送信可能期間）を割り当てる帯域割当装置および帯域割当方法に関する。
【背景技術】
【０００２】
図１は、ＰＯＮシステムの構成例を示す（非特許文献１）。
図１において、ＰＯＮシステムは、局に設置されるＯＬＴ１１と、各ユーザ宅にそれぞれ設置される複数ｍ個のＯＮＵ１２と、ＯＬＴ１１と複数ｍ個のＯＮＵ１２を１：ｍに接続する光ファイバ１３および光スプリッタ１４とにより構成される。ＯＬＴ１１には外部のネットワーク１５が接続される。なお、ＯＬＴ１１とＯＮＵ１２との間をＰＯＮ区間といい、ＰＯＮ区間とＯＬＴ１１との接続点をＰＯＮ−Ｉ／Ｆという。
【０００３】
ＯＬＴは、ＰＯＮシステムに接続されたＯＮＵを自動的に発見し、各ＯＮＵにＬＬＩＤ（Logical Link IDentifier ：論理リンク識別子）を付与して通信リンクを自動的に確立する制御を行う。ＯＮＵからＯＬＴへの上り方向通信では、まずＯＬＴが各ＯＮＵからの上りフレームがＰＯＮ区間で衝突しないように、各ＯＮＵに対してそれぞれの送信開始時刻と送信可能期間を通知する帯域割当を行う。ＯＬＴのＰＯＮ制御回路は、これらのＭＰＣＰ（Multi-point Control Protocol）制御を行う。
【０００４】
各ＯＮＵは、ＯＬＴから付与されたＬＬＩＤを付加した上りフレームを、ＯＬＴから割り当てられた帯域（送信開始時刻と送信可能期間）で送信し、各ＯＮＵからの上りフレームが光スプリッタで合流してＯＬＴに転送される。ＯＬＴは、上りフレームのＬＬＩＤにより、どのＯＮＵから送信された上りフレームであるかを判別して受信する。
【０００５】
なお、ＯＬＴと各ＯＮＵとの距離がまちまちであるため、帯域割当に当たってＯＬＴは、各ＯＮＵとの往復の伝送遅延時間（ＲＴＴ：Round Trip Time ）を測定し、各ＯＮＵに通知する送信開始時刻の値をＯＬＴの基準時間からＲＴＴ分だけずらす処理を行う。
【０００６】
ＲＴＴの測定は次のように行う。ＯＬＴは、図２に示すように、ＯＬＴのローカル時刻Ｔ０を含むフレームを送信し、それを受信したＯＮＵが自身のローカル時刻をＴ０に設定する。ＯＮＵは、時刻Ｔ０から所定時間Ｔ１後にＯＮＵのローカル時刻Ｔ１を含むフレームを送信し、ＯＬＴがそのフレームを受信し、ＯＮＵが送信した時刻Ｔ１およびＯＬＴが受信した時刻Ｔ２を検出する。ＯＬＴにおけるフレーム応答時間Ｔｒは
Ｔｒ＝Ｔ２−Ｔ０
であり、ＯＮＵにおける待機時間Ｔｗは
Ｔｗ＝Ｔ１−Ｔ０
であるので、フレームが往復する伝送遅延時間ＲＴＴは、
ＲＴＴ＝Ｔｒ−Ｔｗ＝（Ｔ２−Ｔ０）−（Ｔ１−Ｔ０）＝Ｔ２−Ｔ１
となる。
【０００７】
図３は、従来のＯＬＴにおける帯域割当例を示す。
図３において、ＯＬＴは各ＯＮＵに割り当てる帯域として、ＯＮＵ１に時刻ｔ１〜ｔ２を、ＯＮＵ２に時刻ｔ２〜ｔ３を、ＯＮＵ３に時刻ｔ３〜ｔ４を設定する。なお、時刻ｔ１〜ｔ４は、ＯＬＴ（ＰＯＮ制御回路）におけるローカル時刻である。
【０００８】
ここで、ＯＮＵ１が送信した信号が時刻ｔ１〜ｔ２に到着するようにするためには、ＯＮＵ１の送信開始時刻を
ｔ１−（ＯＮＵ１のＲＴＴ）
に設定する。ＯＮＵ２，ＯＮＵ３の送信開始時刻についても同様に、
ｔ２−（ＯＮＵ２のＲＴＴ）
ｔ３−（ＯＮＵ３のＲＴＴ）
に設定する。これにより、各ＯＮＵからの上り信号は、衝突せずにそれぞれ帯域割当した時刻にＯＬＴに到着することになる。
【０００９】
図４は、従来のＧＥ−ＰＯＮのＯＬＴの構成例を示す。
図４において、ＯＬＴは、ＰＯＮ−Ｉ／Ｆから順番にＰＯＮ側送受信回路２１、ＭＰＣＰ制御を行うＰＯＮ制御回路２２、ブリッジ回路２３および外部ネットワーク側送受信回路２４を備えた構成である。ＯＬＴが各ＯＮＵに割り当てる送信開始時刻およびＲＴＴは、ＰＯＮ制御回路２２のローカル時刻を基準に設定される。
【００１０】
ところで、ＰＯＮを使用するアクセス方式では、上り・下りとも１Ｇbit/s であるＧＥ−ＰＯＮがＩＥＥＥ802.3ah で既に標準化されており（非特許文献１）、さらに下り10Ｇbit/s ・上り10Ｇbit/s または１Ｇbit/s である１０Ｇ−ＥＰＯＮがＩＥＥＥ802.3av で2009年９月に標準化された（非特許文献２）。以下の説明では、伝送レートが１Ｇbit/s ，10Ｇbit/s をそれぞれ１Ｇ，10Ｇと簡略化して表記する。
【００１１】
10Ｇ−ＥＰＯＮの標準化にあたっては、既存のＧＥ−ＰＯＮとの共存のために、
(1) 上り１Ｇ・下り１Ｇ（１Ｇ対称) 
(2) 上り10Ｇ・下り10Ｇ（10Ｇ対称) 
(3) 上り１Ｇ・下り10Ｇ（10Ｇ非対称) 
の３通りの組み合わせのうち、いずれか２種類、もしくは３種類すべてが混在した構成を１つのＰＯＮにおいて同時に使用可能であるように配慮されている。このとき、下りは１Ｇと10Ｇで別波長を使用するが、上りは１Ｇと10Ｇで同じ波長を使用する。
【先行技術文献】
【非特許文献】
【００１２】
【非特許文献１】IEEE Std 802.3-2005: Part 3: Carrier sense multiple access with collision detection (CSMA/CD) access method and physical layer specifications
【非特許文献２】IEEE Std 802.3av-2009: Part 3: Carrier Sense Multiple Access with Collision Detection (CSMA/CD) Access Method and Physical Layer Specifications : Amendment 1 : Physical Layer Specifications and Management Parameters for 10Gb/s Passive Optical Networks
【発明の概要】
【発明が解決しようとする課題】
【００１３】
ＰＯＮシステムにおいて、上りの伝送レートが１Ｇ・10Ｇ混在となる状況は、10Ｇ−ＥＰＯＮの標準化により初めて発生したものであり、これに伴って発生する課題に対処するためには、前例のない新しい技術が必要となる。
【００１４】
図５は、デュアルレート対応のＯＬＴの構成例を示す。
図５において、デュアルレート対応のＯＬＴは、上りの伝送レート１Ｇ・10Ｇに対応して、ＰＯＮ側１Ｇ送受信回路２１−１およびＰＯＮ側10Ｇ送受信回路２１−２、１Ｇ−ＰＯＮ制御回路２２−１および10Ｇ−ＰＯＮ制御回路２２−２、ブリッジ回路２３、外部ネットワーク側１Ｇ送受信回路２４−１および外部ネットワーク側10Ｇ送受信回路２４−２を備える。なお、１Ｇ−ＰＯＮ制御回路２２−１および10Ｇ−ＰＯＮ制御回路２２−２には、共通のＭＰＣＰ制御を行う共通制御回路２５が接続される。
【００１５】
ＯＬＴが各ＯＮＵに割り当てる送信開始時刻およびＲＴＴは、１Ｇ−ＰＯＮ制御回路２２−１および10Ｇ−ＰＯＮ制御回路２２−２のローカル時刻を基準に設定されるが、その前段に接続されるＰＯＮ側１Ｇ送受信回路２１−１およびＰＯＮ側10Ｇ送受信回路２１−２における電気信号の処理遅延時間の差が問題になる。
【００１６】
ここで、ＯＬＴとＰＯＮとの接続部であるＰＯＮ−Ｉ／Ｆに着目して送受信のタイミングを整理する。なお、ＰＯＮ側１Ｇ送受信回路２１−１における上り信号の処理遅延時間をδu1、下り信号の処理遅延時間をδd1とし、ＰＯＮ側10Ｇ送受信回路２１−２における上り信号の処理遅延時間をδu10 、下り信号の処理遅延時間をδd10 とする。
【００１７】
上り・下りとも１Ｇ（１Ｇ対称) の場合を図６(1) に示す。ＯＬＴのＰＯＮ制御回路（図６ではＭＰＣＰと表記）から時刻Ｔ０に送出された下り信号は、時間δd1だけかかってＰＯＮ−Ｉ／Ｆに到達した後、ＰＯＮ区間を通ってＯＮＵに到達する。一方、ＯＮＵから時刻Ｔ１に送出された上り信号は、ＰＯＮ区間を通ってＰＯＮ−Ｉ／Ｆに到達した後に、時間δu1だけかかって時刻Ｔ２にＯＬＴのＰＯＮ制御回路に到達する。この場合のＲＴＴは、図２で説明したようにＴ２−Ｔ１として求まる。
【００１８】
上り・下りとも10Ｇ（10Ｇ対称) の場合を図６(2) に示す。ＯＬＴのＰＯＮ制御回路から時刻Ｔ０に送出された下り信号は、時間δd10 だけかかってＰＯＮ−Ｉ／Ｆに到達した後、ＰＯＮ区間を通ってＯＮＵに到達する。一方、ＯＮＵから時刻Ｔ１に送出された上り信号は、ＰＯＮ区間を通ってＰＯＮ−Ｉ／Ｆに到達した後に、時間δu10 だけかかって時刻Ｔ３にＯＬＴのＰＯＮ制御回路に到達する。この場合のＲＴＴは、図２で説明したようにＴ３−Ｔ１として求まる。
【００１９】
上り１Ｇ・下り10Ｇ（10Ｇ非対称) の場合を図６(3) に示す。ＯＬＴのＰＯＮ制御回路から時刻Ｔ０に送出された下り信号は、時間δd10 だけかかってＰＯＮ−Ｉ／Ｆに到達した後、ＰＯＮ区間を通ってＯＮＵに到達する。一方、ＯＮＵから時刻Ｔ１に送出された上り信号は、ＰＯＮ区間を通ってＰＯＮ−Ｉ／Ｆに到達した後に、時間δu1だけかかって時刻Ｔ４にＯＬＴのＰＯＮ制御回路に到達する。この場合のＲＴＴは、図２で説明したようにＴ４−Ｔ１として求まる。
【００２０】
以上の状況を踏まえて、上り１Ｇおよび10Ｇが混在している場合の帯域割当について考察する。
【００２１】
図７は、デュアルレート対応のＯＬＴの帯域割当例を示す。ＯＬＴは各ＯＮＵの帯域として、上り１ＧのＯＮＵ１に時刻ｔ１〜ｔ２を、上り10ＧのＯＮＵ２に時刻ｔ２〜ｔ３を、上り１ＧのＯＮＵ３に時刻ｔ３〜ｔ４を、上り１ＧのＯＮＵ４に時刻ｔ４〜ｔ５を、上り10ＧのＯＮＵ５に時刻ｔ５〜ｔ６を割り当てる。なお、時刻ｔ１〜ｔ６は、ＯＬＴ（ＰＯＮ制御回路）におけるローカル時刻である。
【００２２】
ここで、ＯＮＵ１が送信した信号が時刻ｔ１〜ｔ２に到着するようにするためには、ＯＮＵ１の送信開始時刻を時刻ｔ１からＯＮＵ１のＲＴＴを引いた時刻を設定する。ＯＮＵ２〜ＯＮＵ５の送信開始時刻についても同様である。
【００２３】
以上の前提において、上り信号がＯＬＴのＰＯＮ−Ｉ／Ｆに到達する時刻に着目する。上り１Ｇの信号は、図８の上段に示すように、ＰＯＮ制御回路に到達する時刻よりδu1だけ早くＰＯＮ−Ｉ／Ｆに到達する。同様に上り10Ｇの信号は、図８の下段に示すように、ＰＯＮ制御回路に到達する時刻よりδu10 だけ早くＰＯＮ−Ｉ／Ｆに到達する。なお図８は、δu1＜δu10 としたときの状況を示す。図８に示すように、上り１Ｇの信号と上り10Ｇの信号がＰＯＮ−Ｉ／Ｆで衝突している、すなわちＰＯＮ区間で衝突していることがわかる。逆に、δu1＞δu10 であった場合も、１Ｇの信号と10Ｇの信号の前後関係が逆転するが、同様に衝突する。上り信号の衝突は、ＰＯＮシステムにとっては致命的な障害である。
【００２４】
この原因は、ＯＬＴのＰＯＮ側１Ｇ送受信回路２１−１とＰＯＮ側10Ｇ送受信回路２１−２の処理遅延時間の差にある。すなわち、従来のＯＬＴでは、ＰＯＮ制御回路のローカル時刻を基準にした帯域割当により上り信号のＰＯＮ区間の衝突回避が保証されたが、デュアルレート対応のＯＬＴの場合はＰＯＮ側１Ｇ送受信回路２１−１とＰＯＮ側10Ｇ送受信回路２１−２の処理遅延時間の差により、ＰＯＮ−Ｉ／ＦおよびＰＯＮ区間でそれぞれの上り信号が衝突するおそれがあった。なお、処理遅延時間が短い方に遅延バッファを挿入し、両者の処理遅延時間を揃える方法もあるが、不要な遅延増大を招くとともに回路規模が増大する問題があった。
【００２５】
本発明は、デュアルレート対応のＯＬＴにおいて、回路規模の増大を最小限に抑えてＰＯＮ区間における上り信号の衝突を回避することができる帯域制御装置および帯域制御方法を提供することを目的とする。
【課題を解決するための手段】
【００２６】
第１の発明は、１対多で接続されるＯＬＴと複数のＯＮＵとの間で、それぞれのＲＴＴを測定し、各ＯＮＵがＯＬＴに送信する上り信号の送信開始時刻としてＯＬＴの設定時刻からそれぞれのＲＴＴを差し引いた時刻を設定する帯域割当装置において、ＯＬＴと複数のＯＮＵとの間の信号伝送は、少なくとも２種類の伝送レートのいずれかで行われる構成であり、各ＯＮＵに設定する上り信号の送信開始時刻として、ＯＬＴの設定時刻からそれぞれのＲＴＴを差し引いた時刻に、さらに各ＯＮＵの上り信号の伝送レートに応じた送受信回路の処理遅延時間を調整して設定する手段を備え、各ＯＮＵとＯＬＴとの間のＰＯＮ区間で上り信号の衝突を回避する構成である。
【００２７】
第１の発明の帯域割当装置において、ＯＮＵからＯＬＴに送信する上り信号およびＯＬＴからＯＮＵに送信する下り信号の伝送レートがともに１Ｇbit/s であるＯＮＵと、下り信号および上り信号の伝送レートがともに10Ｇbit/s であるＯＮＵと、下り信号の伝送レートが10Ｇbit/s で上り信号の伝送レートが１Ｇbit/s であるＯＮＵのうち、少なくとも上り信号の伝送レートの異なる２種類のＯＮＵが混在する場合に、ＯＬＴの送受信回路は１Ｇbit/s および10Ｇbit/s の各伝送レートの上り信号をそれぞれ処理する構成である。
【００２８】
第２の発明は、１対多で接続されるＯＬＴと複数のＯＮＵとの間で、それぞれのＲＴＴを測定し、各ＯＮＵがＯＬＴに送信する上り信号の送信開始時刻としてＯＬＴの設定時刻からそれぞれのＲＴＴを差し引いた時刻を設定する帯域割当方法において、ＯＬＴと複数のＯＮＵとの間の信号伝送は、少なくとも２種類の伝送レートのいずれかで行われる構成であり、各ＯＮＵに設定する上り信号の送信開始時刻として、ＯＬＴの設定時刻からそれぞれのＲＴＴを差し引いた時刻に、さらに各ＯＮＵの上り信号の伝送レートに応じた送受信回路の処理遅延時間を調整して設定し、各ＯＮＵとＯＬＴとの間のＰＯＮ区間で上り信号の衝突を回避する。
【００２９】
第２の発明の帯域割当方法において、ＯＮＵからＯＬＴに送信する上り信号およびＯＬＴからＯＮＵに送信する下り信号の伝送レートがともに１Ｇbit/s であるＯＮＵと、下り信号および上り信号の伝送レートがともに10Ｇbit/s であるＯＮＵと、下り信号の伝送レートが10Ｇbit/s で上り信号の伝送レートが１Ｇbit/s であるＯＮＵのうち、少なくとも上り信号の伝送レートの異なる２種類のＯＮＵが混在する場合に、ＯＬＴの送受信回路は１Ｇbit/s および10Ｇbit/s の各伝送レートの上り信号をそれぞれ処理する。
【発明の効果】
【００３０】
本発明は、ＯＬＴが各ＯＮＵに設定する送信開始時刻として、ＯＬＴの設定時刻からそれぞれのＲＴＴを差し引いた時刻に対して、さらに各ＯＮＵの上り信号の伝送レートに応じた送受信回路の処理遅延時間を調整することにより、ＰＯＮ−Ｉ／ＦおよびＰＯＮ区間でそれぞれの上り信号の衝突を回避することができる。
【図面の簡単な説明】
【００３１】
【図１】ＰＯＮシステムの構成例を示す図である。
【図２】ＲＴＴの測定方法を説明する図である。
【図３】従来のＯＬＴにおける帯域割当例を示す図である。
【図４】従来のＧＥ−ＰＯＮのＯＬＴの構成例を示す図である。
【図５】デュアルレート対応のＯＬＴの構成例を示す図である。
【図６】ＰＯＮ−Ｉ／Ｆにおける送受信のタイミングを示す図である。
【図７】デュアルレート対応のＯＬＴの帯域割当例を示す図である。
【図８】ＰＯＮ−Ｉ／Ｆにおける上り信号の受信タイミングを示す図である。
【図９】本発明におけるＰＯＮ−Ｉ／Ｆにおける上り信号の受信タイミングを示す図である。
【発明を実施するための形態】
【００３２】
本発明は、図５に示すデュアルレート対応のＯＬＴの１Ｇ−ＰＯＮ制御回路２２−１、10Ｇ−ＰＯＮ制御回路２２−２および共通制御回路２５で行われる各ＯＮＵの上り信号の帯域割当において、ＰＯＮ側１Ｇ送受信回路２１−１とＰＯＮ側10Ｇ送受信回路２１−２の処理遅延時間の差を考慮し、ＰＯＮ区間（ＰＯＮ−Ｉ／Ｆ）における上り信号の衝突を回避するように帯域割当を行う。
【００３３】
ＰＯＮ区間における上り信号の衝突を回避するためには、ＰＯＮ−Ｉ／Ｆにおける到達タイミングが重ならないように各ＯＮＵの送信開始時刻を指定すればよい。そのためには、例えば共通制御回路２５において、ＰＯＮ側１Ｇ送受信回路２１−１とＰＯＮ側10Ｇ送受信回路２１−２の処理遅延時間の差を保持し、帯域割当時にこの処理遅延時間の差を考慮して各ＯＮＵの送信開始時刻を補正する。
【００３４】
上り１Ｇと上り10Ｇのどちらを基準に考えてもよいが、ここでは上り１Ｇを基準として説明する。このとき、上り10Ｇの信号が衝突しないためには、相対的な遅延だけ上り10ＧのＯＮＵの送信開始時刻を早めればよい。例えば時刻ｔ２における相対的な遅延は、
（ｔ２−δu10)−（ｔ２−δu1) ＝δu1−δu10 
となる。なお、δu1＜δu10 の場合には相対的な遅延の値は負になる。この場合は、上り10ＧのＯＮＵの送信開始時刻を遅くすることになる。
【００３５】
したがって、上り１ＧのＯＮＵ１および上り10ＧのＯＮＵ２の送信開始時刻は、
ＯＮＵ１：ＯＬＴの時刻−（ＯＮＵ１のＲＴＴ）
ＯＮＵ２：ＯＬＴの時刻−（ＯＮＵ２のＲＴＴ）−（δu1−δu10)
となるように設定する。
【００３６】
このようにして各ＯＮＵの送信開始時刻を設定した場合のＰＯＮ−Ｉ／Ｆにおける受信タイミングは、図９のようになる。すなわち、上り10ＧのＯＮＵ２，ＯＮＵ５の送信開始時刻を従来方式より（δu1−δu10)だけ早くする。なお、δu1＜δu10 の場合は（δu10 −δu1）だけ遅くすることにより、図９に示すように、ＰＯＮ区間での上り信号の衝突を回避することができる。
【００３７】
ただし、上り10ＧのＯＮＵ２，ＯＮＵ５の送信開始時刻を調整することにより、上り信号が10Ｇ−ＰＯＮ制御回路２２−２へ入力する時刻は（ｔ２−δu1＋δu10)，（ｔ５−δu1＋δu10)となり、それぞれｔ２，ｔ５からずれるが、上り信号の処理に支障はない。
【００３８】
なお、以上の説明は、上り10Ｇを基準としても同様にＰＯＮ区間での上り信号の衝突を回避できることは明らかである。
【符号の説明】
【００３９】
１１  ＯＬＴ（光加入者線終端装置）
１２  ＯＮＵ（光加入者線ネットワーク装置）
１３  光ファイバ
１４  光スプリッタ
１５  外部のネットワーク
２１  ＰＯＮ側送受信回路
２２  ＰＯＮ制御回路
２３  ブリッジ回路
２４  外部ネットワーク側送受信回路
２５  共通制御回路
【図１】
2011160194.tif 000003
【図２】
2011160194.tif 000004
【図３】
2011160194.tif 000005
【図４】
2011160194.tif 000006
【図５】
2011160194.tif 000007
【図６】
2011160194.tif 000008
【図７】
2011160194.tif 000009
【図８】
2011160194.tif 000010
【図９】
2011160194.tif 000011